(57)【要約】      （修正有）【課題】車両等が走行する場所で使用される目地プレートで、目地プレートを支持している係合ピンに大きな荷重が加わったり、損傷したりするのを確実に防止することができ、かつ地震時に重量のある目地プレートをスムーズに移動させることができる床用目地装置を提供する。【解決手段】一方の床躯体３の目地部側の床面に形成された目地プレートスライド支持凹部５と、他方の床躯体の目地部側の床面に形成された目地プレート支持凹部７と、この目地プレート支持凹部に設けられた目地プレート９と、他方の床躯体３の目地プレート支持凹部の内底面より上面が下部に位置するように、他方の床躯体の目地部側に固定された少なくとも一対の係合筒１３と、目地プレートの後端部寄りの底面に設けられた少なくとも一対の係合片１４とで床用目地装置を構成している。【選択図】図２
2015068031.tif 000002
【特許請求の範囲】
【請求項１】
目地部を介して設けられた左右の床躯体の、一方の床躯体の目地部側の床面に反目地部側が傾斜面に形成された目地プレートスライド支持凹部と、この目地プレートスライド支持凹部と対向する他方の床躯体の目地部側の床面に形成された目地プレート支持凹部と、この目地プレート支持凹部に設けられた少なくとも一対の係合ピンに後端部の係合ピン収納ボックスが係合して、該目地プレート支持凹部に支持されるとともに、先端部が前記目地プレートスライド支持凹部を覆うように支持された目地プレートと、前記他方の床躯体の目地プレート支持凹部の内底面より上面が下部に位置するように、該他方の床躯体の目地部側に固定された少なくとも一対の係合筒と、この少なくとも一対の係合筒とそれぞれ前記目地プレートの先端部が地震で目地部が狭くなって上方へ回動しても係合状態を保ち、かつ目地部が広くなるように左右の床躯体が動く場合には、該目地プレートを前記少なくとも一対の係合ピンに力が加わるのを最小限で引張ることができるように、目地プレートの後端部寄りの底面に設けられた少なくとも一対の係合片とからなることを特徴とする床用目地装置。
【請求項２】
少なくとも一対の係合片は先端部の下端部が、少なくとも一対の係合筒の内壁面と通常時には接触しない円弧形状に形成され、目地部が狭くなると先端部の下部側が、該少なくとも一対の係合筒の上部側の内壁面と接触するように形成されていることを特徴とする請求項１記載の床用目地装置。
【発明の詳細な説明】
【技術分野】
【０００１】
本発明は目地部を介して設けられた左右の床躯体間の目地部を、車両等の通行が可能に覆う床用目地装置に関する。
【背景技術】
【０００２】
従来、この種の床用目地装置は一方の床躯体の目地部側に反目地部側が傾斜面に形成された目地プレートスライド支持凹部と、この目地プレートスライド支持凹部と対向する他方の床躯体の目地部側に形成された目地プレート支持凹部と、この目地プレート支持凹部に形成された係合ピンと係合して、該目地プレート支持凹部に後端部が支持され、先端部が前記目地プレートスライド支持凹部を覆うように支持された目地プレートで構成されている。
【０００３】
しかしながら、目地プレート上を車両等が走行する場所では４００ｋｇ〜５００ｋｇもの目地プレートが使用されている。
【０００４】
このような重量のある目地プレートでは、地震で目地部が狭くなったり、広くなるように左右の床躯体が揺れ動くと、目地部が狭くなる場合には目地プレートを他方の床躯体で押すためそれほど問題が生じないが、目地部が広くなる場合、重量のある目地プレートを係合ピンで引張る状態となり、大きな荷重が係合ピンにだけかかり、損傷しやすいという欠点があった。
【先行技術文献】
【特許文献】
【０００５】
【特許文献１】特許第４９６９５５１号公報
【特許文献２】特許第４９０７４７４号公報
【発明の概要】
【発明が解決しようとする課題】
【０００６】
本発明は以上のような従来の欠点に鑑み、車両等が走行する場所で使用される目地プレートで、地震で左右の床躯体の目地部が狭くなったり、広くなったりするように揺れ動いても、該目地プレートを支持している係合ピンに大きな荷重が加わったり、損傷したりするのを確実に防止することができ、かつ地震時に重量のある目地プレートをスムーズに移動させることができる床用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は目地部を介して設けられた左右の床躯体の、一方の床躯体の目地部側の床面に反目地部側が傾斜面に形成された目地プレートスライド支持凹部と、この目地プレートスライド支持凹部と対向する他方の床躯体の目地部側の床面に形成された目地プレート支持凹部と、この目地プレート支持凹部に設けられた少なくとも一対の係合ピンに後端部の係合ピン収納ボックスが係合して、該目地プレート支持凹部に支持されるとともに、先端部が前記目地プレートスライド支持凹部を覆うように支持された目地プレートと、前記他方の床躯体の目地プレート支持凹部の内底面より上面が下部に位置するように、該他方の床躯体の目地部側に固定された少なくとも一対の係合筒と、この少なくとも一対の係合筒とそれぞれ前記目地プレートの先端部が地震で目地部が狭くなって上方へ回動しても係合状態を保ち、かつ目地部が広くなるように左右の床躯体が動く場合には、該目地プレートを前記少なくとも一対の係合ピンに力が加わるのを最小限で引張ることができるように、目地プレートの後端部寄りの底面に設けられた少なくとも一対の係合片とで床用目地装置を構成している。
【発明の効果】
【０００９】
以上の説明から明らかなように、本発明にあっては次に列挙する効果が得られる。
（１）請求項１により、地震で目地部が狭くなり、目地プレートの先端部が一方の床躯体上に乗り上がった後に、目地部が広くなり、元の位置に戻る場合、他方の床躯体の目地部側に固定された少なくとも一対の係合筒に係合している少なくとも一対の係合片によって、目地プレートを元の位置へ戻すことができる。
したがって、少なくとも一対の係合ピンに大きな荷重が加わることなく、目地プレートを元の位置に戻すことができ、少なくとも一対の係合ピンの損傷を効率よく阻止することができる。
（２）前記（１）により、地震で目地部が狭くなる場合には、目地プレートの後端部を目地プレート支持凹部の壁面によって押せるように、少なくとも一対の係合ピンと係合ピン収納ボックスを配置することにより、少なくとも一対の係合ピンに大きな荷重が加わるのを防止できる。
（３）前記（１）により、目地プレートを係合ピン収納ボックスと係合ピンおよび係合片と係合筒で保持しているので、一方が損傷したとしても、他方で安全に目地プレートをスライド移動させることができる。
（４）請求項２も前記（１）〜（３）と同様な効果が得られるとともに、目地プレートを元に戻す場合、少なくとも一対の係合片の下端部が少なくとも一対の係合筒の内壁面と接触するので、目地プレートの先端部を下方へ位置させるような力が作用し、安全に目地プレートをスライド移動させることができる。
【図面の簡単な説明】
【００１０】
【図１】本発明を実施するための第１の形態の平面図。
【図２】図１の２−２線に沿う断面図。
【図３】図１の３−３線に沿う断面図。
【図４】本発明を実施するための第１の形態の目地プレートの説明図。
【図５】本発明を実施するための第１の形態の地震で目地部が狭くなった状態の動作説明図。
【図６】本発明を実施するための第１の形態の地震で目地部が狭くなった状態から広くなる動作説明図。
【図７】本発明を実施するための第１の形態の地震で目地部が広くなった状態の動作説明図。
【図８】本発明を実施するための第２の形態の平面図。
【図９】図８の９−９線に沿う断面図。
【図１０】図８の１０−１０線に沿う断面図。
【図１１】本発明を実施するための第３の形態の平面図。
【図１２】図１１の１２−１２線に沿う断面図。
【図１３】本発明を実施するための第３の形態の下地レールの説明図。
【発明を実施するための形態】
【００１１】
以下、図面に示す本発明を実施するための形態により、本発明を詳細に説明する。
【００１２】
図１ないし図７に示す本発明を実施するための第１の形態において、１は目地部２を介して設けられた左右の床躯体３、３間を車両が走行できるように覆う本発明の床用目地装置で、この床用目地装置１は前記左右の床躯体３、３の、一方の床躯体３の目地部２側の床面３ａに反目地部側が傾斜面４に形成された目地プレートスライド支持凹部５と、この目地プレートスライド支持凹部５を必要に応じて覆うアルミ、アルミ合金、ステンレス合金等の金属材で形成された下地カバー６と、前記目地プレートスライド支持凹部５と対向する他方の床躯体３の目地部２側の床面３ａに形成された目地プレート支持凹部７と、この目地プレート支持凹部７を必要に応じて覆うアルミ、アルミ合金、ステンレス合金等の金属材で形成された下地レール８と、前記目地プレート支持凹部７あるいは下地レール８に後端部が支持され、先端部が前記目地プレートスライド支持凹部５あるいは前記下地カバー６を覆うように取付けられた目地プレート９と、この目地プレート９の後部両側に設けられた下端部が開口する係合ピン収納ボックス１０、１０と、この係合ピン収納ボックス１０、１０内に、通常の前記目地プレート９の移動時には接触しないように前記目地プレート支持凹部７あるいは前記下地レール８に固定された係合ピン１１、１１と、前記他方の床躯体３の目地プレート支持凹部７あるいは下地レール８の内底面８ａより上面１３ａが下部に位置するように、該他方の床躯体３の目地部２側に複数本のタッピングビス１２等で固定された少なくとも一対の係合筒１３、１３と、この少なくとも一対の係合筒１３、１３とそれぞれ前記目地プレート９の先端部が、地震で目地部２が狭くなって上方へ回動しても係合状態を保ち、目地部２が広くなるように左右の床躯体３、３が動く場合には、該目地プレート９を引張ることができるように、目地プレート９の後端部寄りの底面に設けられた少なくとも一対の係合片１４、１４とで構成されている。
【００１３】
前記目地プレート９は図３に示すように、金属材で浅皿状に形成された目地プレート本体１５と、この目地プレート本体１５の後端両側部内に設けられた係合ピン収納ボックス１０、１０と、この係合ピン収納ボックス１０、１０内に係合ピン１１、１１を挿入できるように、前記目地プレート本体１５に形成された開口１６、１６と、前記目地プレート本体１５内に充填されたモルタルあるいはコンクリート１７と、このモルタルあるいはコンクリート１７の上面を覆うように設けられた床タイルやレンガ等の床化粧板１８と、前記目地プレート本体１５の前端上部にヒンジ部材１９を介して設けられたカバープレート２０と、前記目地プレート本体１５の後端部寄りの底面に溶接等で固定された先端部が円弧状で、下部側で前記係合筒１３の内壁面１３ｂと接触できるこぶ２１に形成された一対の係合片１４、１４とで構成されている。
【００１４】
上記構成の床用目地装置１は、通常時には図１および図２に示すように左右の床躯体３、３の床面３ａ、３ａと目地プレート９の上面９ａとはほぼ同一面で、車両等の走行をスムーズに行なうことができる。
【００１５】
地震で左右の床躯体３、３が揺れ動き、目地部２が狭くなると少なくとも一対の係合片１４、１４が少なくとも一対の係合筒１３、１３と係合して目地プレート９が他方の床躯体３と一体となって、目地プレート９の先端部側を目地プレートスライド支持凹部５あるいは下地カバー６上をスライド移動して、その揺れ動きを吸収する。
【００１６】
この時、少なくとも一対の係合ピン１１、１１は係合ピン収納ボックス１０、１０とは接触しない状態になっている。
【００１７】
また、地震で左右の床躯体３、３が揺れ動き、目地部２が狭くなると、目地プレート９の後端部は目地プレート支持凹部７の壁面７ａと接触して、目地プレート９の先端部を傾斜面４に沿って上方へ回動しながら前方へ押し出される。
【００１８】
この時、少なくとも一対の係合筒１３、１３の内壁面１３ｂ、１３ｂに接触することなく、少なくとも一対の係合片１４、１４は上方へ回動しながら移動するが、該係合片１４、１４が係合筒１３、１３より外れることがない
このような状態から目地部２が狭くなると、他方の床躯体３側へ目地プレート９を引張るようになるが、この時、一対の係合筒１３、１３の内壁面１３ａ、１３ａに一対の係合片１４、１４が当接して、目地プレート９を他方の床躯体３方向へ先端部をスライド移動させる。
【００１９】
この時には、前述と同様に一対の係合ピン１１、１１は係合ピン収納ボックス１０、１０とは接触しない状態になっている。
【００２０】
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図８ないし図１０に示す本発明を実施するための第２の形態において、前記本発明を実施するための第１の形態と主に異なる点は、目地プレート９の後端部寄りの底面へ中央部と両側部寄りの部位とに３個の係合片１４、１４、１４を固定するとともに、該係合片１４、１４、１４と係合する係合筒１３、１３、１３を他方の床躯体３の目地部側に固定した点で、このように構成した床用目地装置１Ａにしても、前記本発明を実施するための第１の形態と同様な作用効果が得られる。
【００２２】
図１１ないし図１３に示す本発明を実施するための第３の形態において、前記本発明を実施するための第１の形態と主に異なる点は、下地レール８に一体あるいは固定状態で係合筒１３、１３を固定したものを用いた点で、このように構成した床用目地装置１Ｂにしても、前記本発明を実施するための第１の形態と同様な作用効果が得られる。
【００２３】
なお、前記本発明を実施するための各形態では、２個の係合ピンと係合ピン収納ボックスを用いたものについて説明したが、本発明はこれに限らず、３個、４個の係合ピンと係合ピン収納ボックスを用いてもよい。
【００２４】
また、２個あるいは３個の係合筒と係合片を用いるものについて説明したが、本発明はこれに限らず、４個の係合筒と係合片を用いたものであってもよい。
【産業上の利用可能性】
【００２５】
本発明は目地部を介して設けられた左右の床躯体間の目地部を、車両等の通行が可能に覆う床用目地装置を製造する産業で利用される。
【符号の説明】
【００２６】
１、１Ａ、１Ｂ：床用目地装置、２：目地部、
３：床躯体、        ４：傾斜面、
５：目地プレートスライド支持凹部、  
６：下地カバー、      ７：目地プレート支持凹部、
８：下地レール、      ９：目地プレート、
１０：係合ピン収納ボックス、  １１：係合ピン、
１２：タッピングビス    １３：係合筒、
１４：係合片、      １５：目地プレート本体、
１６：開口、
１７：モルタルあるいはコンクリート、
１８：床化粧板、      １９：ヒンジ部材、
２０：カバープレート、    ２１：こぶ。
【図１】
2015068031.tif 000003
【図２】
2015068031.tif 000004
【図３】
2015068031.tif 000005
【図４】
2015068031.tif 000006
【図５】
2015068031.tif 000007
【図６】
2015068031.tif 000008
【図７】
2015068031.tif 000009
【図８】
2015068031.tif 000010
【図９】
2015068031.tif 000011
【図１０】
2015068031.tif 000012
【図１１】
2015068031.tif 000013
【図１２】
2015068031.tif 000014
【図１３】
2015068031.tif 000015